(57)【要約】【課題】  簡易な構成によりケースに求められる上記の要求を満足できるボトル用景品収納ケースを提供しようとする。【解決手段】  従来のボトル用景品収納ケースにかわって、上方に向けた天板部と、面を表に向け前記天板部に上部の縁を連接する表板部と、面を裏に向け前記天板部に上部の縁を連接する裏板部と、下方に向け左右方向の一方に偏った位置に貫通穴を設けられ前記表板部の下部に表側の縁を連接し前記裏板部の下部に裏側の縁を連接する底板部と、を備え、注ぎ口部と蓋とが前記貫通穴に嵌まる様にボトルに上方から被せることをでき、前記天板部と前記表板部と前記裏板部と前記底板部とで周囲を囲まれた収納空間の蓋に占められた部分を除く空間に景品を収納可能である、ものとした。【選択図】    図１
2009190754.tif 000002
【特許請求の範囲】
【請求項１】
上から見て左右方向に長い略長方形となった輪郭を持ち内容物を貯留可能な本体部と前記本体部の上部から左右方向の一方に偏った位置で上方に突き出た注ぎ口部とを持つボトル本体と注ぎ口部に嵌め込まれる蓋と有するボトルに取付可能であり景品を収納するためのボトル用景品収納ケースであって、
略長方形と略同一の形状を持ち面を上方に向けた平板である天板部と、
面を表に向けた平板であって前記天板部の前方の縁に上部の縁を連接する表板部と、
面を裏に向けた平板であって前記天板部の後方の縁に上部の縁を連接する裏板部と、
略長方形と略同一の形状を持ち面を下方に向けた平板であって左右方向の一方に偏った位置に貫通穴を設けられ前記表板部の下部に表側の縁を連接し前記裏板部の下部に裏側の縁を連接する底板部と、
を備え、
注ぎ口部と蓋とが前記貫通穴に嵌まる様にボトルに上方から被せることをでき、
前記天板部と前記表板部と前記裏板部と前記底板部とで周囲を囲まれ左右方向に一対の開放端をもつ空間である収納空間の注ぎ口部と蓋とに占められた部分を除く空間に景品を収納可能である、
ことを特徴としたボトル用景品収納ケース。
【請求項２】
前記収納空間の１対の前記開放端のうち前記貫通部の設けられた位置からより離れた前記開放端を塞ぐことをできる平板であって前記天板部、前記表板部、前記裏板部または前記底板部のうちの一つに折り目を介して連接する蓋板部と、
を備え、
前記収納空間の１対の開放端のうち前記貫通部の設けられた位置により近い開放端が開放されたままになった、
ことを特徴とした請求項１に記載のボトル用景品収納ケース。
【請求項３】
前記収納空間の１対の前記開放端が開放されたままになった、
ことを特徴とした請求項１に記載のボトル用景品収納ケース。
【請求項４】
ボトルに上方から被せると蓋の頂部が前記天板部に接触可能になる、
ことを特徴とする請求項１に記載のボトル用景品収納ケース。
【請求項５】
前記表板部または前記裏板部の少なくとも一方が前記底板部よりも下方に張り出した部分である張り出し部を持つ、
ことを特徴とする請求項１に記載のボトル用景品収納ケース。
【請求項６】
仮に２つの前記張り出し部の形状を一方を１８０度回転させて互いに重ならない様に左右方向に並べると全体の幅寸法が前記表板部または前記裏板部の少なくとも一方の幅寸法を越えない、
ことを特徴とする請求項５に記載のボトル用景品収納ケース。
【請求項７】
前記張り出し部を前記ボトル本体に接着可能な接着剤を、
備えることを特徴とする請求項５に記載のボトル用景品収納ケース。
【発明の詳細な説明】
【技術分野】
【０００１】
本発明は、ボトルに取付可能であり景品を収納するためのボトル用景品収納ケースに係る。
【背景技術】
【０００２】
近年は、液体はボトルに収納した状態で販売される。
例えば、液体は飲料水、シャンプー等である。
【０００３】
大量販売される液体の販売において、販売促進のために液体に景品を付けることも、行われる。
景品は、袋や箱等のケースに詰められて、液体の収納されたボトルに付けられる。
特に変形しやすい景品は、箱に詰められる。
例えば、液体は車用のシャンプー液であるばあい、洗車に用いると便利なスポンジを景品としてボトルにつける。
【０００４】
これらのケースは、陳列スペースを取らず、運送のためのダンボール箱詰めの手間がかからず、ダンボール箱詰めの収納効率を低下させないことを要求される。
これらのケースは、大量に製造させることから、極めて安価に製造させることが求められる
これらのケースは、上記の求めにこたえつつ、必要な大きさの収納空間を確保できことを求められる。
【０００５】
【特許文献１】特開２００３−２９５７６６号
【特許文献２】特開２００５−２１２８３５号
【発明の開示】
【発明が解決しようとする課題】
【０００６】
本発明は以上に述べた問題点に鑑み案出されたもので、簡易な構成によりケースに求められる上記の要求を満足できるボトル用景品収納ケースを提供しようとする。
【課題を解決するための手段】
【０００７】
上記目的を達成するため、本発明に係る上から見て左右方向に長い略長方形となった輪郭を持ち内容物を貯留可能な本体部と前記本体部の上部から左右方向の一方に偏った位置で上方に突き出た注ぎ口部とを持つボトル本体と注ぎ口部に嵌め込まれる蓋と有するボトルに取付可能であり景品を収納するためのボトル用景品収納ケースを、略長方形と略同一の形状を持ち面を上方に向けた平板である天板部と、面を表に向けた平板であって前記天板部の前方の縁に上部の縁を連接する表板部と、面を裏に向けた平板であって前記天板部の後方の縁に上部の縁を連接する裏板部と、略長方形と略同一の形状を持ち面を下方に向けた平板であって左右方向の一方に偏った位置に貫通穴を設けられ前記表板部の下部に表側の縁を連接し前記裏板部の下部に裏側の縁を連接する底板部と、を備え、注ぎ口部と蓋とが前記貫通穴に嵌まる様にボトルに上方から被せることをでき、前記天板部と前記表板部と前記裏板部と前記底板部とで周囲を囲まれ左右方向に一対の開放端をもつ空間である収納空間の注ぎ口部と蓋とに占められた部分を除く空間に景品を収納可能である、ものとした。
【０００８】
上記本発明の構成により、ボトルは、上から見て左右方向に長い略長方形となった輪郭を持ち内容物を貯留可能な本体部と前記本体部の上部から左右方向の一方に偏った位置で上方に突き出た注ぎ口部とを持つボトル本体と注ぎ口部に嵌め込まれる蓋と有する。天板部は、略長方形と略同一の形状を持ち面を上方に向けた平板である。表板部は、面を表に向けた平板であって前記天板部の前方の縁に上部の縁を連接する。裏板部は、面を裏に向けた平板であって前記天板部の後方の縁に上部の縁を連接する。底板部は、略長方形と略同一の形状を持ち面を下方に向けた平板であって左右方向の一方に偏った位置に貫通穴を設けられ前記表板部の下部に表側の縁を連接し前記裏板部の下部に裏側の縁を連接する。
注ぎ口部と蓋とが前記貫通穴に嵌まる様にボトルに上方から被せることをできる。前記天板部と前記表板部と前記裏板部と前記底板部とで周囲を囲まれ左右方向に一対の開放端をもつ空間である収納空間の注ぎ口部と蓋とに占められた部分を除く空間に景品を収納可能である。
その結果、ボトルの本体部の上部に上から見て略長方形の収納空間を設け、収納空間のなかでボトルの注ぎ口部と蓋と景品とを配置でき、全体の幅寸法、奥行き寸法をボトルとほぼ同じにできる。
【０００９】
以下に、本発明の実施形態に係るボトル用景品収納ケースを説明する。本発明は、以下に記載した実施形態のいずれか、またはそれらの中の二つ以上が組み合わされた態様を含む。
【００１０】
本発明の実施形態に係るボトル用景品収納ケースは、前記収納空間の１対の前記開放端のうち前記貫通部の設けられた位置からより離れた前記開放端を塞ぐことをできる平板であって前記天板部、前記表板部、前記裏板部または前記底板部のうちの一つに折り目を介して連接する蓋板部と、を備え、前記収納空間の１対の前記開放端のうち前記貫通部の設けられた位置により近い前記開放端が開放されたままになった。
上記の実施形態の構成により、蓋板部が、前記天板部、前記表板部、前記裏板部または前記底板部のうちの一つに折り目を介して連接し、前記収納空間の１対の開放端のうち前記貫通部の設けられた位置からより離れた前記開放端を塞ぐことをできる。
前記収納空間の１対の前記開放端のうち前記貫通部の設けられた位置により近い前記開放端が開放されたままである。
その結果、景品がボトルの注ぎ口部と蓋板部とに遮られ収納空間からこぼれるのを防ぐことができ、開放端の一方が開放されたままであるのでボトル用景品収納ケースを展開した形状が単純であり、定型紙から歩留まりよく材料取りできる。
【００１１】
本発明の実施形態に係るボトル用景品収納ケースは、前記収納空間の１対の前記開放端が開放されたままになった。
上記の実施形態の構成により、前記収納空間の１対の開放端が開放されたままである。
その結果、１対の開放端が開放されたままであるのでボトル用景品収納ケースを展開した形状が単純であり、定型紙からさらに歩留まりよく材料取りできる。
【００１２】
本発明の実施形態に係るボトル用景品収納ケースは、ボトルに上方から被せると蓋の頂部が前記天板部に接触可能になった。
上記の実施形態の構成により、ボトルに上方から被せると蓋が前記天板部に接触可能になる。
その結果、ボトルにボトル用景品収納ケースを被せた全体の幅寸法、奥行き寸法、高さ寸法をボトルとほぼ同じにでき、単体のボトルを陳列、箱詰めする場合とほぼ同様の密度で陳列、箱詰めできる。
【００１３】
本発明の実施形態に係るボトル用景品収納ケースは、前記表板部または前記裏板部の少なくとも一方が前記底板部よりも下方に張り出した部分である張り出し部を持つ。
上記の実施形態の構成により、張り出し部が、前記表板部または前記裏板部の少なくとも一方が前記底板部よりも下方に張り出した部分である。
その結果、張り出し部がボトルの本体部の側面に当たり、上から見てボトル用景品収納ケースの位置を決めることができる。
【００１４】
本発明の実施形態に係るボトル用景品収納ケースは、仮に２つの前記張り出し部の形状を一方を１８０度回転させて互いに重ならない様に左右方向に並べると全体の幅寸法が前記表板部または前記裏板部の少なくとも一方の幅寸法を越えない。
上記の実施形態の構成により、仮に１対の前記張り出し部の形状を一方を１８０度回転させて互いに重ならない様に左右方向に並べると全体の幅寸法が前記表板部または前記裏板部の少なくとも一方の幅寸法を越えない。
その結果、２つのボトル用景品収納ケースを展開した形状を一方を１８０度回転させて互いの前記張り出し部を重ならない様に左右方向に並べると全体の形状が単純になり、定型紙から歩留まりよく材料取りできる。
【００１５】
本発明の実施形態に係るボトル用景品収納ケースは、前記張り出し部を前記ボトル本体に接着可能な接着剤を、備える。
上記の実施形態の構成により、接着剤が前記張り出し部を前記ボトル本体に接着可能である。
その結果、張り出し部が接着剤でボトルの本体部の側面に固定でき、上から見てボトル用景品収納ケースの位置を決めることができる。
【発明の効果】
【００１６】
以上説明したように、本発明に係るボトル用景品収納ケースは、その構成により、以下の効果を有する。
上から見て左右方向に長い略長方形となった輪郭を持つ輪郭を持った形状をし本体部の上部に偏心して注ぎ口部のついたボトルに景品を付けるのに、本体部の上部に天板部と表板部と裏板部と底板部とで囲まれてできた収納空間を設け、注ぎ口部と蓋とを底板部に偏心して設けた貫通穴に嵌め込み、収納空間の注ぎ口部と蓋とに占められた空間を除く空間に景品を収納する様にしたので、ボトルの本体部の上部に上から見て略長方形の収納空間を設けて、収納空間のなかでボトルの注ぎ口部と蓋と景品とを配置でき、全体の幅寸法、奥行き寸法をボトルとほぼ同じにできる。
また、蓋板部で前記収納空間の貫通穴から離れた開放端を塞ぎ、前記収納空間の貫通穴に近い開放端を開放のままになる様にしたので、景品がボトルの注ぎ口部と蓋板部とに遮られ収納空間からこぼれるのを防ぐことができ、開放端の一方が開放されたままであるのでボトル用景品収納ケースを展開した形状が単純であり、定型紙から歩留まりよく材料取りできる。
また、前記収納空間の１対の開放端が開放されたままである様にしたので、１対の開放端の一方が開放されたままであるのでボトル用景品収納ケースを展開した形状が単純であり、定型紙からさらに歩留まりよく材料取りできる。
また、ボトルに上方から被せると蓋の頂部が前記天板部に接触可能になる様にしたので、全体の幅寸法、奥行き寸法、高さ寸法をボトルとほぼ同じにでき、単体のボトルを陳列、箱詰めする場合とほぼ同様の密度で陳列、箱詰めできる。
また、張り出し部が、前記表板部または前記裏板部の少なくとも一方が前記底板部よりも下方に張り出した様にしたので、張り出し部がボトルの本体部の側面に当たり、上から見てボトル用景品収納ケースの位置を決めることができる。
また、仮に２つの前記張り出し部の形状を一方を１８０度回転させて互いに重ならない様に左右方向に並べると全体の幅寸法が前記表板部または前記裏板部の少なくとも一方の幅寸法を越えない様にしたので、２つのボトル用景品収納ケースを展開した形状を一方を１８０度回転させて互いの前記張り出し部を重ならない様に左右方向に並べると全体の形状が単純になり、定型紙から歩留まりよく材料取りできる。
また、接着剤が前記張り出し部を前記ボトル本体に接着可能である様にしたので、張り出し部が接着剤でボトルの本体部の側面に固定でき、上から見てボトル用景品収納ケースの位置を決めることができる。
従って、簡易な構成によりケースに求められる上記の要求を満足できるボトル用景品収納ケースを提供できる。
【発明を実施するための最良の形態】
【００１７】
以下、本発明を実施するための最良の形態を、図面を参照して説明する。
【００１８】
最初に、本発明の第１の実施形態に係るボトル用景品収納ケースを、図を基に、説明する。
図１は、本発明の実施形態に係るボトルの概念図である。図２は、本発明の第１の実施形態に係るボトル用景品収納ケースの斜視図である。図３は、本発明の第１の実施形態に係るボトル用景品収納ケースの正面図である。図４は、本発明の第１の実施形態に係るボトル用景品収納ケースの側面図である。図５は、本発明の第１の実施形態に係るボトル用景品収納ケースの断面図である。図６は、本発明の第１の実施形態に係るボトル用景品収納ケースの展開図である。図７は、本発明の第１の実施形態に係るボトル用景品収納ケースの製作説明図である。図８は、本発明の第１の実施形態に係るボトル用景品収納ケースの組立説明図である。
【００１９】
ボトル用景品収納ケース２０は、ボトル１０に取付可能であり景品３０を収納するためのものである。
ボトル１０は、ボトル本体１１と蓋１２とで構成される。
ボルト本体１１は、本体部１１ａと注ぎ口部１１ｂとで構成される。
本体部１１ａは、上から見て左右方向に長い略長方形となった輪郭Ｇを持ち内容物を貯留可能な部分である。
上から見た本体部１１ａの形状は、上から見て左右方向に長い略長方形となった輪郭Ｇを持つ。
例えば、上から見た本体部１１ａの形状は、上から見て左右方向に長い略長方形となった輪郭Ｇに囲まれる。
例えば、上から見た本体部１１ａの形状は、対向する１対の短辺と対向する１対の長辺をもった四辺形であり、上から見た形状の幅寸法と奥行き寸法とは上から見て略長方形となった輪郭Ｇの幅寸法と奥行き寸法とに略一致する。
例えば、上から見た本体部１１ａの形状は、四隅の角部が丸みをおび対向する１対の短辺と対向する１対の長辺をもった形状であり、上から見た形状の幅寸法と奥行き寸法とは上から見て略長方形となった輪郭Ｇの幅寸法と奥行き寸法とに略一致する。
例えば、上から見た本体部１１ａの形状は、左右の端部が丸みをおび左右方向に長い形状であり、上から見た形状の幅寸法と奥行き寸法とは上から見て略長方形となった輪郭Ｇの幅寸法と奥行き寸法とに略一致する。
本体部１１ａは、幅寸法Ｗと高さ寸法Ｈと奥行き寸法Ｄとを持つ。
注ぎ口部１１ｂは、本体部の上部から略長方形の長手方向の一方に偏った位置で上方に突き出た部分である。
例えば、注ぎ口部１１ｂは、本体部の上部から左右方向の一方に偏った位置で上方に突き出た部分である。
注ぎ口部１１ｂは、内容物を出し入れするための口である。
一般に、本体部１１ａと注ぎ口部１１ｂとは一体となっている。
例えば、本体部１１ａと注ぎ口部１１ｂとは継ぎ目無く繋がっている。
例えば、本体部１１ａと注ぎ口部１１ｂとは各々の部品が分離不能に連結している。
蓋１２は、注ぎ口部に嵌め込まれる部材である。
蓋１２は、高さ寸法Ｊを持つ円筒形の輪郭をもつ。
例えば、蓋１２に設けられた雌ねじが、注ぎ口部１１ｂに設けられた雄ねじにねじ込まれる。
景品は、内容物の入ったボトルを購入した人に贈る品物である。
例えば、景品は、販売促進用の品物である。
【００２０】
ボトル用景品収納ケース２０は、天板部２１と表板部２２と裏板部２３と底板部２４とのり代部２５と蓋板部２６とで構成される。
例えば、ボトル用景品収納ケース２０は、天板部２１と表板部２２と裏板部２３と底板部２４とのり代部２５と蓋板部２６と第一フラップ部２７と第二フラップ部２８と第三フラップ部２９とで構成される。
【００２１】
天板部２１は、略長方形と略同一の形状を持ち面を上方に向けた平板である。
表板部２２は、面を表に向けた平板であって天板部の前方の縁に上部の縁を連接する。
裏板部２３は、面を裏に向けた平板であって天板部の後方の縁に上部の縁を連接する。
底板部２４は、略長方形と略同一の形状を持ち面を下方に向けた平板であって、略長方形の長手方向の一方に偏った位置に貫通穴Ｐを設けられ、表板部の下部に表側の縁を連接し、裏板部の下部に裏側の縁を連接する。
注ぎ口部が貫通穴Ｐと蓋１２とに嵌まる様にボトルに上方から被せることをできる。
例えば、貫通穴Ｐが底板部２４の左側に偏った位置に設けられる。
貫通穴Ｐは、注ぎ口部１１ｂの直径と略一致する直径の穴と穴の縁から周囲に放射状に延びた複数の切り込みとで構成されてもよい。
収納空間Ｓの注ぎ口部に占められた部分を除く部分に景品を収納可能である。
収納空間Ｓは、天板部２１と表板部２２と裏板部２３と底板部２４とで周囲を囲まれ、１対の開放端Ｏをもった空間である
例えば、収納空間Ｓは、前後と上下と天板部２１と表板部２２と裏板部２３と底板部２４とで周囲を囲まれ、左右方向に１対の開放端Ｏをもった空間である。
収納空間Ｓの幅寸法が本体部１１ａの幅寸法Ｗに略一致しても良い。
収納空間Ｓの奥行き寸法が本体部１１ａの奥行き寸法Ｄに略一致しても良い。
【００２２】
表板部２２は、天板部２１の前方の縁に折り目を介して上部の縁を連接してもよい。
裏板部２３は、天板部２１の後方の縁に折り目を介して上部の縁を連接してもよい。
底板部２４は、裏板部の下部に折り目を介して裏側の縁を連接する。
【００２３】
のり代部２５は、天板部２１と表板部２２と裏板部２３と底板部２４とを立体形状に保つための部分である。
のり代部２５は、平板であって、底板部２４の前方の縁に折り目を介して下部の縁を連接し、表板部２２の後側の面に表側の面を接着される。
【００２４】
蓋板部２６は、収納空間Ｓの１対の開放端Ｏのうち貫通部の設けられた位置からより離れた開放端Ｏを塞ぐことをできる平板であって天板部、表板部、裏板部または底板部のうちの一つに折り目を介して連接する。
例えば、蓋板部２６は、収納空間Ｓの右側の開放端Ｏを塞ぐことをできる平板であって天板部、表板部、裏板部または底板部のうちの一つに折り目を介して連接する。
例えば、蓋板部２６は、天板部の一方の側に折り目を介して一辺を連接する。
例えば、蓋板部２６は、天板部の一方の側に折り目を介して一辺を連接する。
【００２５】
第１フラップ２７は、天板部、表板部、裏板部または底板部のうちの一つに連接した蓋板部２６の縁に対向する縁に一方の縁を連接し、他方の縁を自由にしたた平板である。
例えば、  第１フラップ２７は、蓋板部２６の天板部に連接した一辺に対向する縁に折り目を介して一方の縁を連接し、対向する他方の縁が自由となった平板である。
【００２６】
第二フラップ２８と第三フラップ２９とは、天板部、表板部、裏板部または底板部のうちの第１フラップ２７の連接したものを除く平板の縁に一方の縁を連接し、他方の縁を自由にしたた平板である。
例えば、第二フラップ２８は、裏板部２３の縁に一方の縁を連接し、他方の縁を自由にした平板である。
例えば、第三フラップ２９は、表板部２２の縁に一方の縁を連接し、他方の縁を自由にした平板である。
【００２７】
蓋板部２６が収納空間Ｓの１対の開放端のうち貫通穴Ｐの設けられた位置からより離れた開放端を塞ぐときに、第一フラップ２７と第二フラップ２８と第三フラップ２９とは収納空間Ｓの中に折り込まれる。
【００２８】
収納空間Ｓの１対の開放端Ｏのうち貫通部の設けられた位置により近い開放端Ｏが開放されたままになっている。
【００２９】
ボトル用景品収納ケース２０をボトル１０に上方から被せると、蓋１２の頂部が天板部に接触可能になってもよい。
例えば、収納空間Ｓの内のり高さ寸法が蓋１２の高さ寸法Ｊに略一致する。
【００３０】
表板部２２または裏板部２３の少なくとも一方が底板部２４よりも下方に張り出した部分である張り出し部２２ａを持ってもよい。
例えば、表板部２２が裏板部２３よりも下方に張り出した部分である張り出し部２２ａを持つ。
また、仮に２つの張り出し部２２ａの形状を一方を１８０度回転させて互いに重ならない様に左右方向に並べると全体の幅寸法が表板部または裏板部の少なくとも一方の幅寸法を越えないようにしてもよい。
例えば、張り出し部２２ａの左右の縁のうち、右側の縁が表板部の右側の縁と一致し、左側の縁が表板部の下側の縁の略中央部から下方に下がり、上から下に向かうにつれ幅が短くなる台形形状をし、台形形状の底辺と頂辺との長さの総和が表板部の幅寸法を越えない。
例えば、張り出し部２２ａの左右の縁のうち、右側の縁が表板部の右側の縁と一致し、左側の縁が表板部の下側の縁の略中央部から下方に下がり、上から下に向かうにつれ幅が短くなる台形形状をし、台形形状の底辺と頂辺との長さの総和が表板部の幅寸法に一致する。
【００３１】
ボトル用景品収納ケース２０は、接着剤４０を持っていてもよい。  
接着剤４０は、張り出し部をボトル本体に接着可能な剤である。
例えば、両面接着シートが、張り出し部２２ａの後方の面に設けられる。
ボトル用景品収納ケース２０をボトル１０の上部にかぶせて、注ぎ口部が貫通穴に嵌、め、蓋が天板部に接触させ、接着剤４０がボトル本体の本体部の正面に接着することをできる。
【００３２】
次に、本発明の第一の実施形態のボトル用景品収納ケース２０の製造方法と使用方法とを、図を基に、説明する。
図６は、１つのボトル用景品収納ケースの展開図２０ｘを示す。
図で、実線で示す線は外形および切り込みを示し、一点鎖線で示す線は折り目を示す。
ボトル用景品収納ケースの展開図２０ｘは、天板部２１と表板部２２と裏板部２３と底板部２４とのり代部２５と蓋板部２６と第一フラップ部２７と第二フラップ部２８と第三フラップ部２９とを平面状の原紙から抜いたものである。
のり代部２５と底板部２４と裏板部２３と天板部２１と表板部２２とが、長手方向をそろえて順に並び折り目を介して連接する。
底板部２４は、ボトル１０の幅寸法Ｗと奥行き寸法Ｄとに略一致する寸法を持つ長方形の形状を持つ。貫通穴Ｐが、裏板部２３の長手方向の一方の側に偏って設けられる。
貫通穴Ｐは、注ぎ口部１１ｂの直径と略一致する直径の穴と穴の縁から周囲に放射状に延びた複数の切り込みとで構成される。
裏板部２３は、蓋の高さ寸法Ｊとボトル１０の幅寸法Ｗとを辺とする長方形の形状を持つ。
例えば、天板部２１は、ボトル１０の幅寸法Ｗと奥行き寸法Ｄと略一致する寸法をもつ長方形の形状を持つ。
例えば、表板部２２は、裏板部２３の形状と同一の形状の下部に張り出し部２２ａが追加された形状を持つ。
のり代部２５は、ボトル１０の幅寸法Ｗを底辺とする台形の形状を持つ。底辺側の縁が、底板部２４の縁に連接する。
【００３３】
蓋板部２６が、天板部２１の長手方向の他方の側の縁に折り目を介して連接する。
第二フラップ部２８が、裏板部２３の長手方向の他方の側の縁に折り目を介して連接する。
第一フラップ部２７が、蓋板部２６の縁に折り目を介して連接する。
第三フラップ部２９が、表板部２２の長手方向の他方の側の縁に折り目を介して連接する。
【００３４】
接着剤（両面接着テープ）４０を張り出し部２２ａの後方の面に張る。
【００３５】
図７は、複数のボトル用景品収納ケースの展開図２０ｘを定型の厚紙から抜く様子を示す。
複数のボトル用景品収納ケースの展開図２０ｘを抜いた際に残材が少なくなる様に配置して抜く。
例えば、１つのボトル用景品収納ケースの展開図２０ｘと逆さまにした１つのボトル用景品収納ケースの展開図２０ｘとを互いの張り出し部２２ａが左右に並ぶ様に配置すると、残材が少なくなる。
【００３６】
図８は、ボトル用景品収納ケースの組立方法を示す。
ボトル用景品収納ケースの展開図２０ｘの折り目を山線となる様に折り込む。
天板部と表板部と裏板部と底板部とで周囲を囲まれた空間が、ボトル１０の幅寸法Ｗと奥行き寸法Ｄと蓋１２の高さ寸法Ｊと略一致する寸法の辺を持つ六面体になる様に折り込み、のり代部２５を表板部２２の後方の面に接着する。
景品３０を収納空間Ｓの開放端から入れて、蓋板部２６で収納空間Ｓの開放端を閉じる。
蓋１２が貫通穴Ｐに挿入される様に、ボトル用景品収納ケース２０をボトル１０の上方からかぶせる。
張り出し部２２ａを接着剤４０でボトル１０のボトル本体１１の正面に固着させる。
【００３７】
次に、本発明の第二の実施形態に係るボトル用景品収納ケース２０を、図を基に、説明する。
図９は、本発明の第２の実施形態に係るボトル用景品収納ケースの展開図である。図１０は、本発明の第２の実施形態に係るボトル用景品収納ケースの製作説明図である。図１１は、本発明の第２の実施形態に係るボトル用景品収納ケースの組立説明図である。
本発明の第一の実施形態に係るボトル用景品収納ケース２０と同じ箇所は、説明を省略し、異なる点のみを説明する。
【００３８】
ボトル用景品収納ケース２０は、天板部２１と表板部２２と裏板部２３と底板部２４とのり代部２５とで構成される。
蓋板部２６と第一フラップ部２７と第二フラップ部２８と第三フラップ部２９とがない点が、第一の実施形態に係るボトル用景品収納ケース２０と異なる点である。
【００３９】
次に、本発明の第二の実施形態のボトル用景品収納ケース２０の製造方法と使用方法とを、図を基に、説明する。
図９は、１つのボトル用景品収納ケースの展開図２０ｘを示す。
図で、実線で示す線は外形および切り込みである。一点鎖線で示す線は折り目である。
ボトル用景品収納ケースの展開図２０ｘは、天板部２１と表板部２２と裏板部２３と底板部２４とのり代部２５とを平面状の原紙から抜いたものである。
のり代部２５と底板部２４と裏板部２３と天板部２１と表板部２２とが、長手方向をそろえて順に並び折り目を介して連接する。
【００４０】
図１０は、複数のボトル用景品収納ケースの展開図２０ｘを定型の厚紙から抜く様子を示す。
複数のボトル用景品収納ケースの展開図２０ｘを抜いた際に残材が少なくなる様に配置して抜く。
例えば、１つのボトル用景品収納ケースの展開図２０ｘと逆さまにした１つのボトル用景品収納ケースの展開図２０ｘとを互いの張り出し部２２ａが左右に並ぶ様に配置すると、残材が少なくなる。
【００４１】
図１１は、ボトル用景品収納ケースの組立方法を示す。
ボトル用景品収納ケースの展開図２０ｘの折り目を山線となる様に折り込む。
天板部と表板部と裏板部と底板部とで周囲を囲まれた空間が、ボトル１０の幅寸法Ｗと奥行き寸法Ｄと蓋１２の高さ寸法Ｊと略一致する寸法の辺を持つ六面体にになる様に折り込み、のり代部２５を表板部２２の後方の面に接着する。
景品３０を収納空間Ｓの開放端から入れて、接着剤等でボトル用景品収納ケースに固着する。
または、収納空間Ｓの開放端をテープ等で塞ぐ。
蓋１２が貫通穴Ｐに挿入される様に、ボトル用景品収納ケース２０をボトル１０の上方からかぶせる。
張り出し部２２ａを接着剤４０でボトル１０のボトル本体１１の正面に固着させる。
【００４２】
また、以上説明したように、本発明に係るボトル用景品収納ケースは、その構成により、以下の効果を有する。
上から見て左右方向に長い略長方形となった輪郭を持つ本体部１１ａの上部に偏心して注ぎ口部１１ｂのついたボトル１０に景品３０を付けるのに、本体部１１ａの上部に天板部２１と表板部２２と裏板部２３と底板部２４とで囲まれてできた収納空間Ｓを設け、注ぎ口部１１ｂを底板部２４に偏心して設けた貫通穴Ｐに嵌め込み、収納空間Ｓの注ぎ口部１１ｂと蓋１２とに占められた部分を除く空間に景品３０を収納する様にしたので、ボトル本体部１１の上部に上から見て略長方形の収納空間Ｓを設けて、収納空間Ｓのなかでボトルの注ぎ口部１１ｂと景品３０とを配置でき、全体の幅寸法Ｗ、奥行き寸法Ｄとをボトルとほぼ同じにできる。
また、蓋板部２６で収納空間Ｓの貫通穴から離れた開放端Ｏを塞ぎ、収納空間Ｓの貫通穴Ｐに近い開放端Ｏを開放のままになる様にしたので、景品３０がボトルの注ぎ口部１１ｂと蓋板部２６とに遮られ収納空間からこぼれるのを防ぐことができ、開放端Ｏの一方が開放されたままであるのでボトル用景品収納ケース２０を展開した形状が単純であり、定型紙から歩留まりよく材料取りできる。
また、ボトル１０に上方から被せると蓋１２の頂部が天板部２１に接触可能になる様にしたので、全体の幅寸法Ｗ、奥行き寸法Ｄ、高さ寸法Ｈ＋Ｊをボトル１０とほぼ同じにでき、単体のボトル１０を陳列、箱詰めする場合とほぼ同様の密度で陳列、箱詰めできる。
また、張り出し部２２ａが、表板部２２または裏板部２３の少なくとも一方から底板部よりも下方に張り出した様にしたので、張り出し部２２ａがボトル本体部１１の正面または裏面面に当たり、上から見てボトル用景品収納ケース２０の位置を決めることができる。
また、仮に１対の張り出し部２２ａの形状を一方を１８０度回転させて互いに重ならない様に左右方向に並べると全体の幅寸法が表板部２２または裏板部２３の少なくとも一方の幅寸法を越えない様にしたので、２つのボトル用景品収納ケース２０を展開した形状を一方を１８０度回転させて互いの張り出し部を重ならない様に左右方向に並べると全体の形状が単純になり、定型紙から歩留まりよく材料取りできる。
また、接着剤４０が張り出し部２２ａをボトル本体１１に接着可能である様にしたので、張り出し部２２ａが接着剤４０でボトルの本体部１１の正面または裏面に固定でき、上から見てボトル用景品収納ケースの位置を決めることができる。
また、収納空間Ｓの１対の開放端Ｏを開放したままである様にしたので、ボトル用景品収納ケースを展開した形状が単純であり、定型紙からさらに歩留まりよく材料取りできる。
【００４３】
本発明は以上に述べた実施形態に限られるものではなく、発明の要旨を逸脱しない範囲で各種の変更が可能である。
【図面の簡単な説明】
【００４４】
【図１】本発明の実施形態に係るボトルの概念図である。
【図２】本発明の第１の実施形態に係るボトル用景品収納ケースの斜視図である。
【図３】本発明の第１の実施形態に係るボトル用景品収納ケースの正面図である。
【図４】本発明の第１の実施形態に係るボトル用景品収納ケースの側面図である。
【図５】本発明の第１の実施形態に係るボトル用景品収納ケースの断面図である。
【図６】本発明の第１の実施形態に係るボトル用景品収納ケースの展開図である。
【図７】本発明の第１の実施形態に係るボトル用景品収納ケースの製作説明図である。
【図８】本発明の第１の実施形態に係るボトル用景品収納ケースの組立説明図である。
【図９】本発明の第２の実施形態に係るボトル用景品収納ケースの展開図である。
【図１０】本発明の第２の実施形態に係るボトル用景品収納ケースの製作説明図である。
【図１１】本発明の第２の実施形態に係るボトル用景品収納ケースの組立説明図である。
【符号の説明】
【００４５】
Ｇ    輪郭
Ｈ    高さ寸法
Ｗ    幅寸法
Ｄ    奥行き寸法
Ｐ    貫通穴
Ｊ    蓋の高さ寸法
Ｓ    収納空間
Ｏ    開放端
１０    ボトル
１１    ボトル本体
１１ａ  本体部
１１ｂ  注ぎ口部
１２    蓋
２０    ボトル用景品収納ケース
２０ｘ  ボトル用景品収納ケースの展開図
２１    天板部
２２    表板部
２２ａ  張り出し部
２３    裏板部
２４    底板部
２５    のり代部
２６    蓋板部
２７    第一フラップ部
２８    第二フラップ部
２９    第三フラップ部
３０    景品
４０    接着剤
【図１】
2009190754.tif 000003
【図２】
2009190754.tif 000004
【図３】
2009190754.tif 000005
【図４】
2009190754.tif 000006
【図５】
2009190754.tif 000007
【図６】
2009190754.tif 000008
【図７】
2009190754.tif 000009
【図８】
2009190754.tif 000010
【図９】
2009190754.tif 000011
【図１０】
2009190754.tif 000012
【図１１】
2009190754.tif 000013